(57)【要約】【課題】プラスもしくはマイナスイオンを発生するイオン化部と、このイオン化部の下流に設けられた電気的集塵部とを有する空気浄化装置において、電気的集塵部での塵埃除去率の低下を極力防止する。【解決手段】プラスイオンもしくはマイナスイオンを発生することで、塵埃を帯電させるイオン化部２５と、イオン化部２５で帯電された塵埃を捕集する電気的集塵部９とを有し、イオン化部２５は、電気的集塵部９の塵埃除去率ηの低下度合に応じて、プラスイオンの発生とマイナスイオンの発生との切り替えをするように構成されている空気浄化装置１である。【選択図】図２
2018020284.tif 000002
【特許請求の範囲】
【請求項１】
プラスイオンもしくはマイナスイオンを発生することで、塵埃を帯電させるイオン化部と、
前記イオン化部で帯電された塵埃を捕集する電気的集塵部と、
を有し、前記イオン化部は、前記電気的集塵部の塵埃除去率の低下度合に応じて、プラスイオンの発生とマイナスイオンの発生との切り替えをするように構成されていることを特徴とする空気浄化装置。
【請求項２】
請求項１に記載の空気浄化装置において、
前記イオン化部でのプラスイオンの発生とマイナスイオンの発生との切り替えは、前もって取得しておいた特性マップによって、前記電気的集塵部での塵埃除去率の低下度合を積算し、この積算した値が所定の値になったときになされるように構成されていることを特徴とする空気浄化装置。
【請求項３】
請求項２に記載の空気浄化装置において、
前記特性マップは、前記電気的集塵部を通過する風量と、前記塵埃の濃度と、稼働時間とによって、前記電気的集塵部の塵埃除去率の低下度合を示すようになっていることを特徴とする空気浄化装置。
【請求項４】
プラスイオンもしくはマイナスイオンを発生することで、塵埃を帯電させるイオン化部と、
前記イオン化部で帯電された塵埃を捕集する電気的集塵部と、
を有し、前記イオン化部は、前記電気的集塵部での塵埃の捕集量に応じて、プラスイオンの発生とマイナスイオンの発生との切り替えをするように構成されていることを特徴とする空気浄化装置。
【請求項５】
イオン化部で発生するプラスイオンもしくはマイナスイオンで塵埃を帯電させる塵埃帯電化工程と、
前記塵埃帯電化工程で帯電された塵埃を、電気的集塵部を用いて捕集する電気的集塵工程と、
を有し、前記塵埃帯電化工程は、前記電気的集塵工程での塵埃除去率の低下度合に応じて、プラスイオンの発生とマイナスイオンの発生との切り替えをすることを特徴とする空気浄化方法。
【請求項６】
請求項５に記載の空気浄化方法において、
前記塵埃帯電化工程でのプラスイオンの発生とマイナスイオンの発生との切り替えは、前もって取得しておいた特性マップによって、前記電気的集塵工程での塵埃の除去率の低下度合を積算し、この積算した値が所定の値になったときになされることを特徴とする空気浄化方法。
【請求項７】
請求項６に記載の空気浄化方法において、
前記特性マップは、前記電気的集塵部を通過する風量と、前記塵埃の濃度と、稼働時間とによって、前記電気的集塵工程での塵埃除去率の低下度合を示すようになっていることを特徴とする空気浄化方法。
【請求項８】
イオン化部で発生するプラスイオンもしくはマイナスイオンで塵埃を帯電させる塵埃帯電化工程と、
前記塵埃帯電化工程で帯電された塵埃を、電気的集塵部を用いて捕集する電気的集塵工程と、
を有し、前記塵埃帯電化工程は、前記電気的集塵部での塵埃の捕集量に応じて、プラスイオンの発生とマイナスイオンの発生との切り替えを行うことを特徴とする空気浄化方法。
【発明の詳細な説明】
【技術分野】
【０００１】
本発明は、空気浄化装置および空気浄化方法に係り、特に、プラスもしくはマイナスイオンを発生するイオン化部と、このイオン化部の下流に設けられた電気的集塵部とを有するものに関する。
【背景技術】
【０００２】
従来、図７で示すように、静電フィルタ３０３の上流にイオナイザ３０５を設置し、空気中の微粒子３０７をイオナイザ３０５で帯電させることで、静電フィルタ３０３の集塵効率の向上をはかっている空気浄化装置３０１が知られている（たとえば、特許文献１参照）。
【０００３】
空気浄化装置３０１は、交流電源３０９を用いてイオナイザ３０５で微粒子３０７をプラスとマイナスとに荷電させている。
【先行技術文献】
【特許文献】
【０００４】
【特許文献１】特開２００１−１７９１３１号公報
【発明の概要】
【発明が解決しようとする課題】
【０００５】
ところで、従来の空気浄化装置３０１では、極性の相反するイオンをほぼ同時に発生しているので、微粒子３０７に付着したイオンが中和されるおそれがある。すなわち、プラスに荷電された微粒子３０７Ａとマイナスに荷電された微粒子３０７Ｂとが、静電フィルタ３０３に到達する前に中和されてしまうおそれがある。そして、静電フィルタ３０３での集塵効率（塵埃除去率）が低下してしまうという問題がある。
【０００６】
そこで、イオナイザ３０５が発生するイオンを、単一極性（たとえばプラスイオンのみもしくはマイナスイオンのみ）にすることが考えられるが、このようにすると、静電フィルタ３０３のマイナス帯電部と微粒子３０７のイオンとが中和してしまい、静電フィルタ３０３の帯電量が低下し、静電フィルタ３０３での集塵効率が早期に低下してしまうという問題がある。
【０００７】
本発明は、上記問題点に鑑みてなされたものであり、プラスもしくはマイナスイオンを発生するイオン化部と、このイオン化部の下流に設けられた電気的集塵部とを有する空気浄化装置および空気浄化方法において、電気的集塵部での塵埃除去率の低下を極力防止することができるものを提供することを目的とする。
【課題を解決するための手段】
【０００８】
本発明は、プラスイオンもしくはマイナスイオンを発生することで、塵埃を帯電させるイオン化部と、前記イオン化部で帯電された塵埃を捕集する電気的集塵部とを有し、前記イオン化部は、前記電気的集塵部の塵埃除去率の低下度合に応じて、プラスイオンの発生とマイナスイオンの発生との切り替えをするように構成されている空気浄化装置である。
【発明の効果】
【０００９】
本発明によれば、プラスもしくはマイナスイオンを発生するイオン化部と、このイオン化部の下流に設けられた電気的集塵部とを有する空気浄化装置および空気浄化方法において、電気的集塵部での塵埃除去率の低下を極力防止することができるという効果を奏する。
【図面の簡単な説明】
【００１０】
【図１】本発明の実施形態に係る空気浄化装置の車両への搭載例を示す図である。
【図２】本発明の実施形態に係る空気浄化装置の概略構成を示す図であり、図１におけるＩＩ部の拡大図である。
【図３】本発明の実施形態に係る空気浄化装置のマップを例示する図である。
【図４】本発明の実施形態に係る空気浄化装置における、時刻の経過に伴う塵埃除去率の変化と、比較例における、時刻の経過に伴う塵埃除去率の変化とを示す図である。
【図５】本発明の実施形態に係る空気浄化装置の動作を例示するフローチャートである。
【図６】本発明の実施形態に係る空気浄化装置のマップを例示する図である。
【図７】従来の空気浄化装置を示す図である。
【発明を実施するための形態】
【００１１】
本発明の実施形態に係る空気浄化装置（空気清浄器）１は、たとえば、図１で示すように、車両３に搭載されて車両３のキャビン５内に浄化された空気を供給するものであり、図２等で示すように、イオン化部（イオナイザ）２５と電気的集塵部（静電フィルタ）９とを備えている。
【００１２】
イオン化部２５がプラスイオンもしくはマイナスイオンを発生することで、空気中の塵埃（微粒子）が、プラスもしくはマイナスに帯電されるようになっている。
【００１３】
電気的集塵部（塵埃捕集部）９では、イオン化部２５でプラスもしくはマイナスに帯電された塵埃が捕集されるようになっている（空気中から取り除かれるようになっている）。
【００１４】
そして、塵埃が捕集された空気が、たとえばヒータコアやエバポレータを通り温度調整されて、キャビン５内に供給されるようになっている。
【００１５】
なお、空気浄化装置１は、筐体１７と送風部（ファン）１９を備えている。イオン化部２５や電気的集塵部９やヒータコアやエバポレータや送風部１９は、筐体１７内に設置されている。そして、送風部１９が稼働することで、イオン化部２５から電気的集塵部９を通ってキャビン５に至る空気の流れが、筐体１７内に生成されるようになっている。
【００１６】
イオン化部２５は、ＣＰＵ１１とメモリ１３とを備えた制御部１５の制御の下、発生するイオンの極性を切り替えるようになっている。
【００１７】
さらに説明すると、イオン化部２５は、電気的集塵部９の塵埃除去率ηの低下度合（電気的集塵部９の汚れの程度）に応じて、プラスイオンの発生とマイナスイオンの発生との切り替えをするように構成されている。
【００１８】
たとえば、イオン化部２５は、電気的集塵部９での塵埃除去率ηが１％〜５％低下したときに、より好ましくは、電気的集塵部９での塵埃除去率ηが１．５％〜３％低下したときに、さらに好ましくは、電気的集塵部９での塵埃除去率ηが約２％低下したときに、プラスイオンの発生とマイナスイオンの発生との切り替えをするようになっている。
【００１９】
塵埃を含んだ空気の流れは、上述したように、送風部１９が稼働することで発生するようになっており、塵埃を含んだ空気の流れ方向で、イオン化部２５は、電気的集塵部９の上流側に位置している。
【００２０】
イオン化部２５で帯電した塵埃は、筐体１７内の、イオン化部２５と電気的集塵部９との間の通路（イオン化部電気的集塵部間通路）２１を、イオン化部２５から電気的集塵部９に向かって流れるようになっている。
【００２１】
イオン化部２５で発生するイオンの切り替えの時間間隔（たとえば、プラスイオンからマイナスイオンを発生するように切り替えた時刻から、次に、マイナスイオンからプラスイオンを発生するように切り替える時刻までの間の時間）は、イオン化部電気的集塵部間通路２１に、正に帯電した塵埃もしくは負に帯電した塵埃のいずれか一方の塵埃のみが存在している時間よりも長くなっている。
【００２２】
例を掲げてさらに説明すると、イオン化部２５でプラスイオンのみを発生していることで、イオン化部電気的集塵部間通路２１をプラスに帯電した塵埃のみが流れているものとする。そして、時刻ｔａが到来したときに、イオン化部２５で発生するイオンを、プラスイオンのみからマイナスイオンのみに切り替えると、イオン化部電気的集塵部間通路２１をマイナスに帯電した塵埃が流れ始める。
【００２３】
続いて、時刻ｔｂが到来すると、イオン化部電気的集塵部間通路２１をマイナスに帯電した塵埃のみが流れるようになる。時刻ｔａと時刻ｔｂとの間の時間では、イオン化部電気的集塵部間通路２１に、マイナスに帯電した塵埃とプラスに帯電した塵埃とが混在している。
【００２４】
なお、イオン化部電気的集塵部間通路２１を構成する壁部（筐体１７の壁部）の近傍での塵埃を含んだ空気の流速は、イオン化部電気的集塵部間通路２１の中央部での塵埃を含んだ空気の流速よりも遅くなっているが、時刻ｔｂが到来したときには、イオン化部電気的集塵部間通路２１の壁部のところでも、マイナスに帯電した塵埃のみが流れるようになる。
【００２５】
続いて、時刻ｔｃが到来したときに、イオン化部２５で発生するイオンをマイナスイオンからプラスイオンに切り替えると、イオン化部電気的集塵部間通路２１をプラスに帯電した塵埃が流れ始める。なお、時刻ｔｂと時刻ｔｃとの間の時間では、イオン化部電気的集塵部間通路２１には、マイナスに帯電した塵埃のみが流れている。
【００２６】
イオン化部２５で発生するイオンの切り替えの時間間隔は、時刻ｔｂと時刻ｔｃとの間の時間よりも長い時間になっており、時刻ｔａと時刻ｔｃとの間の時間になっている。ここで、イオン化部２５が電気的集塵部９の汚れ程度に応じてプラスイオンの発生とマイナスイオンの発生との切り替えを行うので、時刻ｔｂと時刻ｔｃとの間の時間が、時刻ｔａと時刻ｔｂとの間の時間よりもはるかに長い時間（たとえば、１０倍〜数百倍）になっている。
【００２７】
なお、上記説明で「マイナスに帯電した塵埃のみが流れる」という表現をしているが、これは、プラスに帯電した塵埃が、物理的に１つも存在しないということではなく、プラスに帯電した塵埃が工学的に無視できる程度存在している場合を含むのである。すなわち、「マイナスに帯電した塵埃のみが流れる」という表現は、「概ねマイナスに帯電した塵埃だけが流れる」と言い換えることができる。
【００２８】
また、イオン化部２５でのプラスイオンとマイナスイオンとの切り替えは、前もって取得しておいた特性マップ（メモリ１３に格納されている特性マップ）２３によって（特性マップ２３を用いて）、電気的集塵部９での塵埃の除去率ηの低下度合を積算し、この積算した値（積算値）が所定の値になったときになされるように構成されている。
【００２９】
特性マップ２３は、空気浄化装置１が様々な条件の下で稼働しているときにおける、空気浄化装置１の稼働時間（運転時間；経過時間）ｔと電気的集塵部９での塵埃の除去率（捕集率）ηとの関係を表したマップである（図３や図６参照）。
【００３０】
上記種々の条件として、空気の流れ方向で電気的集塵部９の上流側における塵埃の濃度、電気的集塵部９を流れている空気の流量（電気的集塵部９を通過する風量；送風部１９で発生している空気流の流量）、インテークモード（外気導入モードか、もしくは、内気循環モードか、もしくは、外気導入モードと内気循環モードとの適宜の割合での混合か）を掲げることができる。
【００３１】
図３や図６の横軸は、時刻ｔの経過を示しており、縦軸は、電気的集塵部９における塵埃の除去率ηを示している。また、図３や図６では、インテークモードが、たとえば、外気導入モードになっている。
【００３２】
図３（ａ）における線図Ｇ１は、送風部１９で発生する風量が少ない一定の値であり、電気的集塵部９の上流側における空気中の塵埃の濃度が低い一定の値であるときにおける、空気浄化装置１の稼働時間（稼働時の経過時間；稼働時の時刻の経過）ｔと電気的集塵部９での塵埃の除去率ηとの関係を示している。
【００３３】
図３（ａ）における線図Ｇ２は、送風部１９で発生する風量が少ない一定の値であり、電気的集塵部９の上流側における空気中の塵埃の濃度が中くらいの一定の値であるときにおける、空気浄化装置１の稼働時間ｔと電気的集塵部９での塵埃の除去率ηとの関係を示している。
【００３４】
図３（ａ）における線図Ｇ３は、送風部１９で発生する風量が少ない一定の値であり、電気的集塵部９の上流側における空気中の塵埃の濃度が高い一定の値であるときにおける、空気浄化装置１の稼働時間ｔと電気的集塵部９での塵埃の除去率ηとの関係を示している。
【００３５】
図３（ｂ）における線図Ｇ４は、送風部１９で発生する風量が多い一定の値であり、電気的集塵部９の上流側における空気中の塵埃の濃度が低い一定の値であるときにおける、空気浄化装置１の稼働時間ｔと電気的集塵部９での塵埃の除去率ηとの関係を示している。
【００３６】
図３（ｂ）における線図Ｇ５は、送風部１９で発生する風量が多い一定の値であり、電気的集塵部９の上流側における空気中の塵埃の濃度が中くらいの一定の値であるときにおける、空気浄化装置１の稼働時間ｔと電気的集塵部９での塵埃の除去率ηとの関係を示している。
【００３７】
図３（ｂ）における線図Ｇ６は、送風部１９で発生する風量が多い一定の値であり、電気的集塵部９の上流側における空気中の塵埃の濃度が高い一定の値であるときにおける、空気浄化装置１の稼働時間ｔと電気的集塵部９での塵埃の除去率ηとの関係を示している。
【００３８】
なお、図３では、６本の線図しか示していないが、実際の特性マップ２３として、メモリ１１には多数本の線図が格納されている。たとえば、図３（ａ）における線図Ｇ１と線図Ｇ２との間にも、多数本の線図が存在しており、送風部１９で発生する風量も、図３（ａ）（ｂ）以外の風量である場合があり、これらの各風量に対応しても線図が多数存在している。
【００３９】
空気浄化装置１が稼働しているときには、イオン化部２５でいずれか一方の極性のイオンを発生しているとともに、送風部１９が稼働していることで空気流が発生しており、イオン化部２５で帯電した塵埃を含む空気が電気的集塵部９を通過して（流れて）いる。そして、塵埃が電気的集塵部９で捕集（除去）されている。
【００４０】
空気浄化装置１の稼働時間ｔとは、イオン化部２５で発生するイオンの極性を切り替えたときからの、空気浄化装置１の稼働時間である。
【００４１】
塵埃の除去率ηは、η＝（１−ρ´／ρ）×１００％の式で表される。「ρ」は、空気浄化装置１における空気の流れ方向で、電気的集塵部９の上流側における塵埃（空気中を浮遊している微粒子）の濃度であり、「ρ´」は、空気浄化装置１における空気の流れ方向で、電気的集塵部９の下流側における塵埃の濃度である。「ρ」や「ρ´」の単位は、たとえば「個／ｍ３」である。ただし、サイズとして所定の範囲（空気中に浮遊するサイズ；たとえば０．３μｍ〜１０μｍ）の塵埃が濃度の対象になる。
【００４２】
ここで、図６（ａ）を参照しつつさらに具体的に説明する。
【００４３】
図６（ａ）の線図Ｇａ１は、空気浄化装置１が稼働しているときにおける時刻ｔの経過と電気的集塵部９における塵埃の除去率ηとの関係を示している。なお、線図Ｇａ１では、図３で示した線図Ｇ１等と同様にして、電気的集塵部９の上流側における塵埃の濃度が所定の一定の値になっており、また、電気的集塵部９を流れる空気の流量も所定の一定の値になっている。
【００４４】
図６（ａ）で示す時刻ｔａ０は、イオン化部２５で発生するイオンが切り替わった時刻（たとえば、プラスイオンからマイナスイオンに切り替わった時刻）である。
【００４５】
図６（ａ）で示す時刻ｔａ０から時刻ｔａ１までの時間、空気浄化装置１が稼働することで、電気的集塵部９での除去率ηが９９％から９８．２％に低下している。すなわち、除去率ηが０．８％（０．８ポイント）低下している。
【００４６】
時刻ｔａ１で、空気浄化装置１の稼働を停止する。この後、時刻ｔａ２から時刻ｔａ３までの時間、空気浄化装置１を稼働することで、電気的集塵部９での除去率ηが９８．２％から９７．５％に低下している。すなわち、除去率が０．７％低下している。
【００４７】
時刻ｔａ３で、空気浄化装置１の稼働を停止する。この後、時刻ｔａ４から時刻ｔａ５までの時間、空気浄化装置１を稼働することで、電気的集塵部９での除去率ηが９７．５％から９７％に低下している。すなわち、除去率ηが０．５％低下している。
【００４８】
時刻ｔａ５では、電気的集塵部９での除去率ηが９７％になっていて、時刻ｔａ０における除去率９９％に対して、２％（０．８％＋０．７％＋０．５％）、除去率ηが低下している。すなわち、電気的集塵部９での塵埃の除去率ηの低下度合を積算した値（積算値）が、時刻ｔａ５において、イオン化部２５で発生するイオンの極性を切り替えるべき所定の値（たとえば、２％）になったことになる。
【００４９】
これにより、時刻ｔａ５で、イオン化部２５が発生するイオンをマイナスイオンからプラスイオンに切り替える。なお、時刻ｔａ５でも空気浄化装置１は連続して稼働するが、時刻ｔａ５で空気浄化装置１を停止してもよい。
【００５０】
なお、上記説明では、電気的集塵部９での塵埃の除去率ηの低下度合の積算値に応じてイオン化部２５が発生するイオンの極性を切り替えているが、空気浄化装置１の稼働時間の積算値に応じてイオン化部２５が発生するイオンの極性を切り替えてもよい。
【００５１】
すなわち、空気浄化装置１の稼働時間の積算値が所定の値（空気浄化装置１の時刻ｔａ０から時刻ｔａ５までの時間；時間ｔａ０５）になったときに、イオン化部２５が発生するイオンの極性を切り替えてもよい。
【００５２】
さらに、空気浄化装置１の各稼働時間のそれぞれと上述した時間ｔａ０５との比をもとめ、これらの求められた比の積算値ΣＦｎが「１」になったときに、イオン化部２５が発生するイオンの極性を切り替えてもよい。
【００５３】
たとえば、「（Ｆ１；時刻ｔａ０から時刻ｔａ１までの時間／時間ｔａ０５）＋（Ｆ２；時刻ｔａ２から時刻ｔａ３までの時間／時間ｔａ０５）＋（Ｆ３；時刻ｔａ４から時刻ｔａ５までの時間／時間ｔａ０５）」の値ΣＦｎが「１」になったときに、イオン化部２５が発生するイオンの極性を切り替えてもよい。
【００５４】
ところで、図６（ａ）では、電気的集塵部９の上流側における塵埃の濃度がある一定の値になっており、電気的集塵部９を流れる空気の流量（送風部１９で発生する風量）もある一定の値になっている場合を例に掲げて説明しているが、電気的集塵部９の上流側における塵埃の濃度と、電気的集塵部９を流れる空気の流量とが変化し、インテークモードが切り替わる場合もある。
【００５５】
ここで、電気的集塵部９の上流側における塵埃の濃度と電気的集塵部９を流れる空気の流量とが変化する場合について、図６（ｂ）を参照しつつさらに説明する。
【００５６】
図６（ｂ）の各線図（条件）Ｇｂ１，Ｇｂ２，Ｇｂ３のそれぞれは、電気的集塵部９の前の塵埃の濃度や電気的集塵部９を流れる空気の流量が異なる条件の下で空気浄化装置１が稼働しているときにおける、時刻ｔの経過と電気的集塵部９における塵埃の除去率ηとの関係を示している。
【００５７】
図６（ｂ）では、説明の便宜のために、３つの線図Ｇｂ１，Ｇｂ２，Ｇｂ３を掲げているが、実際には、図３で説明したように、他の複数の条件（多数の条件）が存在している。また、以下、説明の便宜のために、３つの条件を切り替えて空気浄化装置１が稼働することにしているが、多数の条件を切り替えて空気浄化装置１が稼働することにしてもよい。
【００５８】
第１の条件Ｇｂ１の下で空気浄化装置１が稼働し、続いて、第２の条件Ｇｂ２の下で空気浄化装置１が稼働し、続いて、第３の条件Ｇｂ３の下で空気浄化装置１が稼働するものとする。図６（ｂ）で示す時刻ｔｂ０もイオン化部２５で発生するイオンが切り替わった時刻である。
【００５９】
図６（ｂ）示す時刻ｔｂ０から時刻ｔｂ１までの時間、第１の条件Ｇｂ１の下で空気浄化装置１が稼働することで、電気的集塵部９での除去率が「ηｂ０」から「ηｂ１」に低下している。すなわち、除去率が「ηｂ０−ηｂ１」％低下している。
【００６０】
なお、第１の条件Ｇｂ１では、電気的集塵部９の上流側における塵埃の濃度が「ρｂ１」になっており、送風部１９で発生している風量が「Ｑｂ１」になっているものとする。
【００６１】
続いて、図６（ｂ）示す時刻ｔｂ２から時刻ｔｂ３までの時間、第２の条件Ｇｂ２の下で空気浄化装置１が稼働することで、電気的集塵部９での除去率が「ηｂ２」から「ηｂ３」に低下している。すなわち、除去率が「ηｂ２−ηｂ３」％低下している。
【００６２】
なお、第２の条件Ｇｂ２では、電気的集塵部９の上流側における塵埃の濃度が「ρｂ２」になっており、送風部１９で発生している風量が「Ｑｂ２」になっているものとする。
【００６３】
続いて、図６（ｂ）示す時刻ｔｂ４から時刻ｔｂ５までの時間、第３の条件Ｇｂ３の下で空気浄化装置１が稼働することで、電気的集塵部９での除去率が「ηｂ４」から「ηｂ５」に低下している。すなわち、除去率が「ηｂ４−ηｂ５」％低下している。
【００６４】
なお、第３の条件Ｇｂ３では、電気的集塵部９の上流側における塵埃の濃度が「ρｂ３」になっており、送風部１９で発生している風量が「Ｑｂ３」になっているものとする。
【００６５】
そして、時刻ｔｂ５が到来したときに、塵埃の除去率の低下度合を積算した値（（ηｂ０−ηｂ１）＋（ηｂ２−ηｂ３）＋（ηｂ４−ηｂ５））がイオン化部２５での極性の切り替えに必要な所定の値（たとえば２％）になったとする。
【００６６】
よって、時刻ｔｂ５が到来したときに、イオン化部２５で発生するイオンをマイナスイオンからプラスイオンに切り替える。以下、プラスイオンからマイナスイオンへの切り替え、マイナスイオンからプラスイオンへの切り替え・・・を同様にして繰り返す。
【００６７】
なお、図６（ｂ）では、各条件Ｇｂ１，Ｇｂ２，Ｇｂ３それぞれにおける時刻ｔの表示はお互いが独立している。すなわち、第１の条件Ｇｂ１における時刻ｔｂ０から時刻ｔｂ１までは、時刻ｔｂ０の後に時刻ｔｂ１が到来し、第２の条件Ｇｂ２における時刻ｔｂ２から時刻ｔｂ３までは、時刻ｔｂ２の後に時刻ｔｂが到来し、第３の条件Ｇｂ３における時刻ｔｂ４から時刻ｔｂ５までは、時刻ｔｂ４の後に時刻ｔｂ５が到来する。
【００６８】
しかし、各時刻ｔｂ０，ｔｂ１，ｔｂ２，ｔｂ３，ｔｂ４，ｔｂ５は説明の便宜上、図６（ｂ）の横軸に同時の記載しているのであり、図６（ｂ）では、時刻ｔｂ４が時刻ｔｂ３の前に到来するように描かれているが、実際の空気浄化装置１の稼働では、時刻ｔｂ１の後に時刻ｔｂ２が到来し、時刻ｔｂ３の後に時刻ｔｂ４が到来している。
【００６９】
図６（ｂ）の第２の条件Ｇｂ２における時刻ｔｂ２は、第１の条件Ｇｂ１での時刻ｔｂ０から時刻ｔｂ１までの空気浄化装置１の稼働時間に基づいてもとめることができる。
【００７０】
さらに説明すると、第１の条件Ｇｂ１で時刻ｔｂ０から時刻ｔｂ１まで空気浄化装置１を稼働することで、電気的集塵部９が捕集した塵埃の個数ｍｂが計算でもとめられる。すなわち、個数ｍｂは、塵埃の濃度ρｂ１と風量Ｑｂ１と第１の条件の線図Ｇｂ１で示す電気的集塵部９での除去率ηの変化と時刻ｔｂ０から時刻ｔｂ１までの時間ｔｂｏ１とでもとめられる。
【００７１】
ここで、第２の条件Ｇｂ２で空気浄化装置１を時刻ｔｂ０から時刻ｔｂ２まで稼働したきの、電気的集塵部９が捕集した塵埃の個数をｍｂ´とする。個数ｍｂ´も、個数ｍｂと同様に、塵埃の濃度ρｂ２と風量Ｑｂ２と第２の条件の線図Ｇｂ２で示す電気的集塵部９での除去率ηの変化と時刻ｔｂ０から時刻ｔｂ２までの時間ｔｂｏ２とでもとめられる。ただし、時刻ｔｂ２はここでは未知数である。
【００７２】
そして、個数ｍｂ＝個数ｍｂ´となる方程式を時刻ｔｂ２について解くことで、時刻ｔｂ２をもとめることができる。
【００７３】
また、図６（ｂ）の時刻ｔｂ４も、第１の条件Ｇｂ１での時刻ｔｂ０から時刻ｔｂ１までの空気浄化装置の稼働と、第２の条件Ｇｂ２での時刻ｔｂ２から時刻ｔｂ３までの空気浄化装置の稼働とに基づいて、時刻ｔｂ２と同様にもとめることができる。
【００７４】
なお、時刻ｔｂ１が到来したとき、一旦、空気浄化装置１の稼働を所定の時間停止して、時刻ｔｂ２で再び空気浄化装置１の稼働開始し、時刻ｔｂ３が到来したとき、一旦、空気浄化装置１の稼働を所定の時間停止して、時刻ｔｂ４で再び空気浄化装置１の稼働を開始してもよいし、時刻ｔｂ１が到来しても空気浄化装置１の稼働を停止することなく、連続して空気浄化装置１を稼働してもよいし、時刻ｔｂ３が到来しても空気浄化装置１の稼働を停止することなく連続して空気浄化装置１の稼働をしてもよい。
【００７５】
さらに、電気的集塵部９を新品もしくは新品とみなせるものにしたときからのイオン化部２５で発生するイオンの極性の切り替え回数によって、電気的集塵部９での捕集率ηに変化が生じるのであれば、上記切り替え回数を、上述した空気浄化装置１の稼働時における種々の条件に加えてもよい。
【００７６】
ところで、空気浄化装置１の筐体１７の内部であって、空気の流れ方向における電気的集塵部９の上流側には、空気中の塵埃の濃度を検出する塵埃濃度センサ（微粒子濃度センサ）７が設けられている。この塵埃濃度センサ７で検出される塵埃の濃度の単位は、たとえば、個／ｍ３である。
【００７７】
また、電気的集塵部９を通過する風量の単位は、たとえば、ｍ３／ｍｉｎであり、電気的集塵部９を通過する風量は、送風部１９の羽根２７の回転数に基づいて決まり、送風部１９の羽根２７の回転数は、たとえば、羽根２７を回転駆動する電動機２９に供給される電気の電圧や周波数によって決まるようになっている。
【００７８】
したがって、電気的集塵部９を通過する風量の代わりに、電動機２９に供給される電圧等を採用してもよい。
【００７９】
次に、空気浄化装置１の動作について例を掲げ、図５を参照しつつ説明する。この例では、空気浄化装置１の稼働時間の比の積算値ΣＦｎが「１」になったときに、イオン化部２５が発生するイオンの極性を切り替えることにする。
【００８０】
まず、制御部１５の制御の下、塵埃濃度センサ７によって測定した空気中の塵埃の濃度を読み込み、送風部１９の電動機２９の作動信号（たとえば電動機２９に供給される電力の電圧）を読み込み、インテークモードを読み込む（Ｓ１）。
【００８１】
続いて、電動機２９の作動信号がオンであるか否かを判断し（Ｓ３）、作動信号がオフである場合は、スタートに戻り、作動信号がオンである場合は、ステップＳ５に進む。
【００８２】
ステップＳ５では、図３や図６等で示す特性マップによって、積算値ΣＦｎを算出する。
【００８３】
続いて、積算値ΣＦｎが「１」以上になったか否かを判断し（Ｓ７）、積算値ΣＦｎが「１」以上になった場合は、積算値ΣＦｎの値をリセットして「０」にし、イオン化部２５で発生するイオンの極性を切り替える（Ｓ９）。積算値ΣＦｎが「１」よりも小さい場合には、スタートに戻る。
【００８４】
空気浄化装置１によれば、イオン化部２５が、電気的集塵部９の塵埃除去率ηの低下度合に応じて、プラスイオンの発生とマイナスイオンの発生との切り替えをするように構成されているので、従来のように、イオン化部２５と電気的集塵部９との間にプラスに帯電した塵埃と、マイナスに帯電した塵埃とが混在することが極力回避され、また、電気的集塵部９のイオンと塵埃のイオンが中和してしまう事態が極力回避され、電気的集塵部９での塵埃除去率（集塵効率）ηの低下を防止することができる。
【００８５】
また、イオン化部２５が電気的集塵部９の塵埃除去率ηの低下度合に応じて、プラスイオンの発生とマイナスイオンの発生との切り替えをするように構成されているので、図４に示すように、電気的集塵部９の寿命を延ばすことができる。
【００８６】
なお、図４の横軸は、時刻ｔの経過を示しており、縦軸は、電気的集塵部９における塵埃の除去率ηを示している。
【００８７】
図４に示す線図Ｇｐは、イオン化部２５で発生するイオンの極性の切り替えが無い場合の、空気浄化装置の稼働時間と、電気的集塵部９での塵埃の除去率ηとの関係を示している。
【００８８】
図４に示す線図Ｇｆは、イオン化部２５で発生するイオンの極性の切り替えを、上述したようにして行った場合における、空気浄化装置１の稼働時間と、電気的集塵部９での塵埃の除去率ηとの関係を示している。
【００８９】
線図Ｇｐでは、時刻ｔ０から時刻ｔｐまでの稼働時間によって、電気的集塵部９での塵埃の除去率ηが、「ηｆ」から「ηｅ」に、たとえば、３０％下がっている。
【００９０】
線図Ｇｆでは、時刻ｔ０から時刻ｔｆまでの稼働時間（時刻ｔ０から時刻ｔｐまでの稼働時間よりも長い稼働時間）によって、電気的集塵部９での塵埃の除去率ηが、「ηｆ」から「ηｅ」に、たとえば、３０％下がっている。
【００９１】
線図Ｇｆは、鋸刃状になっているが、この鋸刃の先端Ｚ１，Ｚ２，Ｚ３，Ｚ４・・・の時刻ｔｚ１，ｔｚ２，ｔｚ３，ｔｚ４・・・のそれぞれにおいて、イオン化部２５で発生するイオンの極性の切り替えがなされる。なお、除去率ηが３０％低下したときが、電気的集塵部９の交換時期になる。
【００９２】
これにより、イオン化部２５で発生するイオンの極性を上述したように適宜切り替えることで、電気的集塵部９の寿命が延びる。
【００９３】
また、時刻ｔ０〜時刻ｔｚ１までの時間ｔｚ０１、時刻ｔ１〜時刻ｔｚ２までの時間ｔｚ１２、時刻ｔ２〜時刻ｔｚ３までの時間ｔｚ２３、時刻ｔ３〜時刻ｔｚ４までの時間ｔｚ３４・・・の値は、お互いが異なる場合があるが、これは、上述した空気浄化装置１の上述した稼働条件に基づくものである。
【００９４】
空気浄化装置１によれば、イオン化部２５でのプラスイオンとマイナスイオンとの切り替えが、前もって取得しておいた特性マップ２３によって、電気的集塵部９での塵埃の除去率ηの低下度合を積算し、この積算した値（積算値）が所定の値になったときになされるので、塵埃濃度センサ７の設置数を少なくすることで構成を簡素化することができるとともに、イオン化部２５での正確な極性の切り替えタイミングを得ることができる。
【００９５】
また、空気浄化装置１によれば、特性マップ２３が、電気的集塵部９を通過する風量と、塵埃の濃度と、稼働時間等によって、電気的集塵部９の塵埃除去率ηの低下度合を示すようになっているので、実際に影響を及ぼす因子に応じて電気的集塵部９の塵埃除去率ηの低下度合を予測することができ、イオン化部２５での極性の切り替えタイミングをより高精度で得ることができる。
【００９６】
空気浄化装置１の構成を次にように変形してもよい。すなわち、イオン化部２５が、電気的集塵部９での塵埃の捕集量（質量もしくは個数）に応じて、プラスイオンの発生とマイナスイオンの発生との切り替えをするように構成されていてもよい。
【００９７】
たとえば、イオン化部２５が発生するイオンが切り替わったとき（たとえば、プラスイオンからマイナスイオンに切り替わったとき）から起算して、電気的集塵部９で捕集した塵埃の量が所定の値になったときに、イオン化部２５が発生するイオンの極性を切り替えるように構成してもよい（たとえば、マイナスイオンからプラスイオンに切り替えるようにしてもよい）。
【００９８】
このように、イオン化部２５が、電気的集塵部９での塵埃の捕集量に応じて、プラスイオンの発生とマイナスイオンの発生との切り替えをするようになっているように構成しても、電気的集塵部９での塵埃除去率ηの低下を防止することができる。
【００９９】
また、筐体１７内であって空気の流れ方向で電気的集塵部９の下流側にも塵埃濃度センサを設け、電気的集塵部の上流側の塵埃濃度センサ７と、電気的集塵部９の下流側の塵埃濃度センサとによって、電気的集塵部９での塵埃の除去率ηを測定するように構成してもよい。
【０１００】
そして、電気的集塵部９で捕集した塵埃の除去率ηの低下の度合が所定の値（たとえば２％）になってときに、イオン化部２５が発生するイオンの極性を切り替えるように構成してもよい。この場合、特性マップ２３を無くしてもよい。
【０１０１】
なお、上述したものを方法の発明として把握してもよい。
【０１０２】
すなわち、イオン化部で発生するプラスイオンもしくはマイナスイオンで塵埃を帯電させる塵埃帯電化工程と、前記塵埃帯電化工程で帯電された塵埃を、電気的集塵部を用いて捕集する電気的集塵工程とを有し、前記塵埃帯電化工程は、前記電気的集塵工程での塵埃除去率の低下度合に応じて、プラスイオンの発生とマイナスイオンの発生との切り替えをする空気浄化方法として把握してもよい。
【０１０３】
この場合において、前記イオン化部でのプラスイオンの発生とマイナスイオンの発生との切り替えが、前もって取得しておいた特性マップによって、前記電気的集塵工程での塵埃の除去率の低下度合を積算し、この積算した値が所定の値になったときになされるようにしてもよい。
【０１０４】
また、前記特性マップが、前記電気的集塵部を通過する風量と、前記塵埃の濃度と、稼働時間とによって、前記電気的集塵工程での塵埃除去率の低下度合を示すようにしてもよい。
【０１０５】
さらに、イオン化部で発生するプラスイオンもしくはマイナスイオンで塵埃を帯電させる塵埃帯電化工程と、前記塵埃帯電化工程で帯電された塵埃を、電気的集塵部を用いて捕集する電気的集塵工程とを有し、前記塵埃帯電化工程は、前記電気的集塵工程での塵埃の捕集量に応じて、プラスイオンの発生とマイナスイオンの発生との切り替えを行う空気浄化方法として把握してもよい。
【符号の説明】
【０１０６】
１  空気浄化装置
９  電気的集塵部
２３  特性マップ
２５  イオン化部
η  塵埃除去率
【図１】
2018020284.tif 000003
【図２】
2018020284.tif 000004
【図３】
2018020284.tif 000005
【図４】
2018020284.tif 000006
【図５】
2018020284.tif 000007
【図６】
2018020284.tif 000008
【図７】
2018020284.tif 000009